(57)【特許請求の範囲】
【請求項１】
単管等の被掛止体に掛け止めるＵ字状掛止部（１ａ）と、該Ｕ字状掛止部（１ａ）の基端側に連続して設けられ、命綱の先を接続するための接続部（１ｄ）を設けた握部（１ｂ）と、該握部（１ｂ）と上記Ｕ字状掛止部（１ａ）の先端との間に開設されて上記被掛止体を通過させる解放部（１ｃ）から成るフック本体（１）と；上記握部（１ｂ）の先端部（１ｂ′）において基端部（２ａ）が支軸（３）に回動自在に枢着されて上記解放部（１ｃ）を開閉する開閉杆（２）と；から構成されるフックに於いて、上記握部（１ｂ）をＵ字状に形成して、上記Ｕ字状掛止部（１ａ）の基端部に連続して一体的に設け、該握部（１ｂ）の先端部（１ｂ′）に操作杆（４）の基端部（４ａ）を上記支軸（３）より下方に位置する支軸（５）に回動自在に枢着すると共に、操作杆（４）の先端部を上記開閉杆（２）に遊び（ガタツキ）を持たせて連結ピン（６）により枢着せしめ、該操作杆（４）を回動操作することにより上記開閉杆（２）を回動せしめて、上記解放部（１ｃ）を開閉するように構成したことを特徴とするフック。
【請求項２】
単管等の被掛止体に掛け止めるＵ字状掛止部（１ａ）と、該Ｕ字状掛止部（１ａ）の基端側に連続して設けられ、命綱の先を接続するための接続部（１ｄ）を設けた握部（１ｂ）と、該握部（１ｂ）と上記Ｕ字状掛止部（１ａ）の先端との間に開設されて上記被掛止体を通過させる解放部（１ｃ）から成るフック本体（１）と；上記握部（１ｂ）の先端部（１ｂ′）において基端部（２ａ）が支軸（３）に回動自在に枢着されて上記解放部（１ｃ）を開閉する開閉杆（２）と；から構成されるフックに於いて、上記握部（１ｂ）をＵ字状に形成して、上記Ｕ字状掛止部（１ａ）の基端部に連続して一体的に設け、該握部（１ｂ）の先端部（１ｂ′）に操作杆（４）の基端部（４ａ）を上記支軸（３）より下方に位置する支軸（５）に回動自在に枢着すると共に、上記操作杆（４）の先端部を上記開閉杆（２）にスライド可能に且つ弾性的に当接せしめ、該操作杆（４）を回動操作することにより上記開閉杆（２）を回動せしめて、上記解放部（１ｃ）を開閉するように構成したことを特徴とするフック。
【請求項３】
上記開閉杵をロックするためのロック杵を、上記握部に設けたことを特徴とする請求項１または２に記載のフック。
【発明の詳細な説明】
【０００１】
【発明の属する技術分野】
本発明は、建設現場などで作業者の体や安全帯に連結した命綱の先に取り付けて、建物躯体などの固定物間に張った索状体（ロープやワイヤー等）や仮設足場などで使用される棹状体（単管など）等の被掛止体に掛け止めるためのフックに関する。
【０００２】
【従来の技術】
従来、この種のフックは、図７に示すように、Ｕ字状掛止部ｈ１と、これに連接して形成されると共に命綱Ｔを取り付けるための接続穴Ｋを有する握部ｈ２と、単管Ｐなどの被掛止体を通過させる開放部ｈ３から成るフック本体Ｈと、上記握部ｈ２に回動自在に枢着されて上記開放部ｈ３を開閉する開閉杆Ｒから構成されていて、高所作業における落下事故を防止するようになっている。
【０００３】
【発明が解決しようとする課題】
しかしながら、上記従来のフックは、図７からも明らかなように、開閉杆Ｒを直接握る構造となっているので、単管Ｐが上記開放部ｈ３を通過する際に、上記握部ｈ２を握った指Ｆがその通路を邪魔するため、特に単管Ｐなど太い被掛止体への掛け止め掛け外しが困難となるだけでなく、単管Ｐが指Ｆに当たって傷付ける恐れがある等の問題点があった。また、命綱Ｔを取り付ける接続穴Ｋが完全に閉じられた穴であるため、命綱Ｔの先端を接続穴に通してから薩摩編みなどによりアイスプライス（索眼）ｔを形成していたので、命綱Ｔの接続に手間がかかり、ロープの交換は容易ではなかった。特に、フック等の金属部品に対して損耗が激しい繊維製命綱を簡単かつ迅速に交換できることが望まれていた。
【０００４】
本発明は、上記従来の問題点を解決し、その要請に応えるためになされたもので、その目的とするところは、指が単管等の被掛止体に接触して傷付けられる恐れが無く、容易に且つ安全に掛け止め掛け外し作業を行うことができ、また、命綱を簡単且つ迅速に接続することができるフックを提供することにある。
【０００５】
【課題を解決するための手段】
本発明のフックは、単管等の被掛止体に掛け止めるＵ字状掛止部（１ａ）と、該Ｕ字状掛止部（１ａ）の基端側に連続して設けられ、命綱の先を接続するための接続部（１ｄ）を設けた握部（１ｂ）と、該握部（１ｂ）と上記Ｕ字状掛止部（１ａ）の先端との間に開設されて上記被掛止体を通過させる解放部（１ｃ）から成るフック本体（１）と；上記握部（１ｂ）の先端部（１ｂ′）において基端部（２ａ）が支軸（３）に回動自在に枢着されて上記解放部（１ｃ）を開閉する開閉杆（２）と；から構成されるフックに於いて、上記握部（１ｂ）をＵ字状に形成して、上記Ｕ字状掛止部（１ａ）の基端部に連続して一体的に設け、該握部（１ｂ）の先端部（１ｂ′）に操作杆（４）の基端部（４ａ）を上記支軸（３）より下方に位置する支軸（５）に回動自在に枢着すると共に、操作杆（４）の先端部を上記開閉杆（２）に遊び（ガタツキ）を持たせて連結ピン（６）により枢着せしめ、該操作杆（４）を回動操作することにより上記開閉杆（２）を回動せしめて、上記解放部（１ｃ）を開閉するように構成したことを特徴とする。
また、本発明のフックは、単管等の被掛止体に掛け止めるＵ字状掛止部（１ａ）と、該Ｕ字状掛止部（１ａ）の基端側に連続して設けられ、命綱の先を接続するための接続部（１ｄ）を設けた握部（１ｂ）と、該握部（１ｂ）と上記Ｕ字状掛止部（１ａ）の先端との間に開設されて上記被掛止体を通過させる解放部（１ｃ）から成るフック本体（１）と；上記握部（１ｂ）の先端部（１ｂ′）において基端部（２ａ）が支軸（３）に回動自在に枢着されて上記解放部（１ｃ）を開閉する開閉杆（２）と；から構成されるフックに於いて、上記握部（１ｂ）をＵ字状に形成して、上記Ｕ字状掛止部（１ａ）の基端部に連続して一体的に設け、該握部（１ｂ）の先端部（１ｂ′）に操作杆（４）の基端部（４ａ）を上記支軸（３）より下方に位置する支軸（５）に回動自在に枢着すると共に、上記操作杆（４）の先端部を上記開閉杆（２）にスライド可能に且つ弾性的に当接せしめ、該操作杆（４）を回動操作することにより上記開閉杆（２）を回動せしめて、上記解放部（１ｃ）を開閉するように構成したことを特徴とする。
さらに、上記構成のフックにおいて、上記開閉杵をロックするためのロック杵を、上記握部に設けたことを特徴とする。
【０００６】
【発明の実施の形態】
以下、本発明の実施の形態について、図面を参照しながら説明する。
図１において、１はフック本体であって、図２からも明らかなように、主として、Ｕ字状掛止部１ａと、握部１ｂと、開放部１ｃから構成されている。前記握部１ｂも上記Ｕ字状掛止部１ａに対向する状態でＵ字状に形成されていて、該Ｕ字状掛止部１ａの基端側１ａ′に連続して一体的に設けられている。該握部１ｂのＵ字状の全体形状は、片手で握ることが可能な大きさとなっており、その底奥部は命綱を取り付けるための接続部１ｄとなっている。上記開放部１ｃは、上記Ｕ字状掛止部１ａの先端１ａ″と上記握部１ｂとの間の開放された空間であって、単管などの被掛止体を通過させる。
【０００７】
再び図１において、２は開閉杆であって、図３（Ａ）からも明らかなように、その基端部２ａが、支軸３により上記フック本体１の握部１ｂの先端部１ｂ′（図２も参照）に回動自在に枢着されている。上記開閉杆２は、適宜弾性付勢手段（ねじりバネやコイルバネ等：図示せず）により反時計方向（図３（Ａ）において実線の方向）に弾性的に付勢されている。該開閉杆２が、上記フック本体１の開放部１ｃを閉じる状態（図１（Ａ）の状態）では、その先端部２ｂは、上記Ｕ字状掛止部１ａの先端１ａ″に当接している。（図１（Ｃ）も参照）
【０００８】
４は操作杆であって、図３（Ｃ）からも明らかなように、その基端部４ａが、支軸５により上記フック本体１の握部１ｂに回動自在に枢着されている。該操作杆４は、実質的には、握部１ｂの一部を構成していて、図４に示すように、該操作杆４の外側にも指を掛けるようになっている。操作杆４の先端部４ｂは、連結ピン６を介して上記開閉杆２に連結されている。なお、該連結ピン６は、上記支軸５を中心とする円弧に沿って往復移動するだけでなく、上記支軸３を中心とする円弧に沿っても往復移動することになるので、それらの両円弧に沿って同時に往復移動できるように、連結ピンとこれが嵌合する操作杆３の穴との間に遊び（ガタツキ）を持たせるか、又は、連結ピン６と開閉杆２の穴との間に遊びを持たせるか、或いは、両穴との間に共に遊びを持たせる。
【０００９】
再び図１において、７はロック杆であって、支軸８により上記握部１ｂに回動自在に枢着されている。該ロック杆７も、適宜弾性付勢手段（ねじりバネやコイルバネ等：図示せず）により時計方向に弾性的に付勢されている。該ロック杆７には、上記開閉杆２側に向けて突出したロック部７ａが設けられている。該ロック杆７ａには、上記開閉杆２と一体に設けられたロック杆９が、突き合わせ状態で当接している。
【００１０】
次に、上記実施例のフックの作用について説明する。図４（Ａ）に示すように、上記フック本体１の握部１ｂを握り締めると、上記ロック杆７が仮想線状態から実線状態に回動する。ロック杆７が回動すると、上記ロック部７ａも回動して、上記ロック杆９との当接状態から外れる。
【００１１】
上記ロック杆９との当接状態が外れると、これと一体になった上記開閉杆２のロック状態が解除される。図４（Ｂ）に示すように、ロックが解除された状態で更に握り締めて、上記操作杆４を仮想線状態から実線状態に回動せしめる。操作杆４が回動すると、図３（Ｃ）からも明らかなように、これにリンクして上記開閉杆２が仮想線状態から実線状態に回動する。その結果、上記フック本体１の開放部１ｃが開いて、単管Ｐ等の被掛止体を通過させることができる。被掛止体がフック本体１内に入ると、上述の握り力を緩めて、上記操作杆４，開閉杆２およびロック杆７を、上述のように弾性付勢手段により元の状態（図１の状態）に戻す。
【００１２】
また、上記握部１ｂをＵ字状に形成して、上記Ｕ字状掛止部１ａの基端部に連続して一体的に構成したので、図５に矢印Ｙとして示すように、命綱Ｔのアイスプライスｔを上記握部１ｂの底奥部の接続部１ｄに導入し、命綱Ｔを接続部１ｄに簡単且つ迅速に接続することができる。特に、命綱Ｔが繊維製品であり、フック等の金属部品に対して上記命綱Ｔが損耗し易いので、予めアイスプライスｔを形成した命綱Ｔを簡単かつ迅速に接続できることは、実用上、非常に有効である。
【００１３】
上記実施例では、操作杆４の先端部４ｂを連結ピン６を介して開閉杆２に連結したが、本発明はこれに限定するものではなく、図６に示すように、支軸５に枢着されて操作杆４′の先端部４ｂ′を開閉杆２の背面に弾性的に当接せしめるように構成してもよい。なお、上記操作杆４′の時計方向の付勢力は、上記開閉杆２の上記反時計方向の付勢力より小さい。以上の構成により、操作杆４′を指の握り力により矢印Ｘ方向に押して、開閉杆２を仮想線状態に回動せしめる。該開閉杆２の回動に伴って、上記操作杆４の先端部４ｂ′が開閉杆２の背面に沿ってスライドする。
【００１４】
【発明の効果】
１）握部（１ｂ）をＵ字状に形成して、上記Ｕ字状掛止部（１ａ）の基端部に連続して一体的に設け、該握部（１ｂ）の先端部（１ｂ′）に操作杆（４）の基端部（４ａ）を上記支軸（３）より下方に位置する支軸（５）に回動自在に枢着すると共に、操作杆（４）の先端部を上記開閉杆（２）に遊び（ガタツキ）を持たせて連結ピン（６）により枢着せしめ、該操作杆（４）を回動操作することにより上記開閉杆（２）を回動せしめて、上記解放部（１ｃ）を開閉するように構成したので、指が単管等の被掛止体に接触して傷付けられる恐れが無く、容易に且つ安全に掛け止め掛け外し作業を行うことができるだけでなく、Ｕ字状の握部により命綱を簡単かつ迅速に取り付けることができ、また、操作杆を開閉杆と同じ方向に指を自然に動かすことができる。
２）握部（１ｂ）をＵ字状に形成して、上記Ｕ字状掛止部（１ａ）の基端部に連続して一体的に設け、該握部（１ｂ）の先端部（１ｂ′）に操作杆（４）の基端部（４ａ）を上記支軸（３）より下方に位置する支軸（５）に回動自在に枢着すると共に、上記操作杆（４）の先端部を上記開閉杆（２）にスライド可能に且つ弾性的に当接せしめ、該操作杆（４）を回動操作することにより上記開閉杆（２）を回動せしめて、上記解放部（１ｃ）を開閉するように構成したので、指が単管等の被掛止体に接触して傷付けられる恐れが無く、容易に且つ安全に掛け止め掛け外し作業を行うことができるだけでなく、Ｕ字状の握部により命綱を簡単かつ迅速に取り付けることができ、また、操作杆を開閉杆と同じ方向に指を自然に動かすことができる。
３）開閉杆をロックするためのロック杆を、握部に設けたので、単に握るだけでロック解除の操作を行うことができる。
【図面の簡単な説明】
【図１】本発明のフックの一実施例を示す構成説明図（Ａ）、（Ａ）のイ−イ拡大端面図（Ｂ）、ロ−ロ拡大端面図（Ｃ）、ハ−ハ拡大断面図（Ｄ）である。
【図２】フック本体の構成説明図である。
【図３】開閉杆の作用説明図（Ａ）、その矢視ニ方向から見た拡大側面図（Ｂ）、操作杆の作用説明図（Ｃ）、その矢視ホ方向から見た拡大側面図（Ｄ）である。
【図４】図１の実施例のフックの作用説明図（Ａ）（Ｂ）である。
【図５】命綱の取付説明図である。
【図６】操作杆の別の実施例の構成および作用説明図である。
【図７】従来のフック説明図である。
【符号の説明】
１  フック本体
１ａ  Ｕ字状掛止部
１ａ′基端側
１ａ″先端
１ｂ  握部
１ｃ  開放部
２  開閉杆
２ａ  基端部
２ｂ  先端部
３  支軸
４  操作杆
４′操作杆
４ａ  基端部
４ｂ  先端部
４ｂ′先端部
５  支軸
６  連結ピン
７  先端部
７ａ  ロック部
８  支軸
９  ロック杆
Ｐ  単管
Ｔ  命綱
ｔ  アイスプライス
Ｘ  方向
【図２】
0003855152.tif 000002
【図３】
0003855152.tif 000003
【図４】
0003855152.tif 000004
【図５】
0003855152.tif 000005
【図７】
0003855152.tif 000006
【図１】
0003855152.tif 000007
【図６】
0003855152.tif 000008